(57)【要約】【課題】患者の背部あるいはでん部の位置変更によって患者の頭部の位置を効果的に変更できる歯科治療椅子を提供する。【解決手段】バックレスト４およびコンターシート３を有し、バックレストあるいはコンターシートの少なくとも一方に袋体３ａ，４ａを設けた歯科治療椅子１である。患者の頭部による圧力を測定するための圧力センサ７を複数敷設した安頭台５と、圧力センサの測定結果に基づいて袋体の内部圧力を制御する圧力制御部９とを備える。【選択図】図２
2015226664.tif 000002
【特許請求の範囲】
【請求項１】
バックレストおよびコンターシートを有し、前記バックレストあるいは前記コンターシートの少なくとも一方に袋体を設けた歯科治療椅子であって、
患者の頭部による圧力を測定するための圧力センサを複数敷設した安頭台と、前記圧力センサの測定結果に基づいて前記袋体の内部圧力を制御する圧力制御部とを備えたことを特徴とする歯科治療椅子。
【請求項２】
自動調整モードが選択された場合、前記圧力制御部が前記袋体の内部圧力を制御することを特徴とする請求項１に記載の歯科治療椅子。
【請求項３】
前記袋体が、前記バックレストあるいは前記コンターシートの少なくとも一方に複数敷設されることを特徴とする請求項１又は２に記載の歯科治療椅子。
【発明の詳細な説明】
【技術分野】
【０００１】
本発明は、バックレストおよびコンターシートを有し、バックレストあるいはコンターシートの少なくとも一方に袋体を設けた歯科治療椅子に関する。
【背景技術】
【０００２】
歯科治療椅子は中央にコンターシートを有し、コンターシートの後方にはバックレストや安頭台が、コンターシートの前方にはレッグレストがそれぞれ設けられ、安頭台は患者の頭部を、バックレストは患者の背部を、コンターシートは患者のでん部を、レッグレストは患者の脚部をそれぞれ支持する。また、歯科治療椅子は、術者が患者を治療し易い姿勢にするために、起倒や上下動可能に構成されており、患者を起状態の姿勢から寝状態の姿勢に変更することができる。
【０００３】
ここで、患者の体型や座り方などによって歯科治療椅子の押圧位置が異なり、押圧力の分布に応じて歯科治療椅子のクッション性能を変更したい場合がある。このため、例えば、特許文献１には、バックレスト、コンターシート、レッグレストの少なくとも１つに袋体（エアーバックともいう）を複数敷設すると共に、各袋体の上面に体圧測定センサを配置し、体圧測定センサの測定結果に基づいて各袋体の内部圧力を調整する技術が開示されている。
【先行技術文献】
【特許文献】
【０００４】
【特許文献１】特開２００５−８７２８９号公報
【発明の概要】
【発明が解決しようとする課題】
【０００５】
しかしながら、特許文献１による体圧測定センサの測定結果はこのセンサを設けた袋体の内部圧力を調整するのみである。よって、仮に特許文献１の構造に安頭台を追加すると共に、この安頭台にセンサ付きの袋体を設け、安頭台への押圧力の分布に応じて安頭台の袋体の内部圧力を調整したとしても、安頭台はバックレストやコンターシート等に比べて小型であって多くの袋体を配置できないので、患者の頭部の位置を効果的に変更できないという問題がある。
【０００６】
これでは、患者の頭部が安頭台の所定位置にない場合や安頭台が患者の頭部の形状に合わない場合などには、例えば患者の頭部を抱きかかえるような、術者自身が無理な姿勢で患者の頭部の位置を調整しなければならず、術者にとって大きな負担となる。一方、例えば起き上がることが困難な患者等のように、患者が頭部を安頭台に安定して固定できない場合、患者自身が無理な姿勢で治療を受けなければならず、患者にとって大きな負担になる。
【０００７】
本発明は、上述のような実情に鑑みてなされたもので、患者の背部あるいはでん部の位置変更によって患者の頭部の位置を効果的に変更できる歯科治療椅子を提供することを目的とする。
【課題を解決するための手段】
【０００８】
上記課題を解決するために、請求項１の発明は、バックレストおよびコンターシートを有し、前記バックレストあるいは前記コンターシートの少なくとも一方に袋体を設けた歯科治療椅子であって、患者の頭部による圧力を測定するための圧力センサを複数敷設した安頭台と、前記圧力センサの測定結果に基づいて前記袋体の内部圧力を制御する圧力制御部とを備えたことを特徴としたものである。
【０００９】
請求項２の発明は、自動調整モードが選択された場合、前記圧力制御部が前記袋体の内部圧力を制御することを特徴としたものである。また、請求項３の発明は、前記袋体が、前記バックレストあるいは前記コンターシートの少なくとも一方に複数敷設されることを特徴としたものである。
【発明の効果】
【００１０】
本発明によれば、患者の頭部による圧力が安頭台の複数個の圧力センサで測定され、圧力制御部が圧力センサの測定結果に基づいてバックレストの袋体あるいはコンターシートの袋体の内部圧力を制御し、患者の背部あるいは患者のでん部の位置を変更するので、患者の頭部の位置を効果的に変更できる。その結果、術者や患者への負担軽減を図ることができる。
【図面の簡単な説明】
【００１１】
【図１】本発明の一形態に係る歯科治療椅子の外観斜視図などである。
【図２】図１の歯科治療椅子に適用可能な回路ブロック図である。
【図３】図１の歯科治療椅子の使用例を説明するための図である。
【図４】図１の歯科治療椅子の使用例を説明するための図である。
【図５】第２実施形態の歯科治療椅子の斜視図である。
【発明を実施するための形態】
【００１２】
以下、図面を参照しながら本発明の歯科治療椅子について説明する。図１（Ａ）は、本発明の第１実施形態に係る歯科治療椅子の外観斜視図であり、歯科治療椅子を右斜め前方から見ている。
歯科治療椅子１は、スピットンやワークテーブル（いずれも図示省略）等を有した歯科治療ユニットの一構成要素である。歯科治療椅子１は基台２の上方にコンターシート３を有し、コンターシート３の一端にはバックレスト４や安頭台５が、コンターシート３の他端にはレッグレスト６がそれぞれ設けられている。
【００１３】
コンターシート３は基台２に対して上下動可能であり、バックレスト４および安頭台５はコンターシート３に対して起倒可能に構成されている。また、レッグレスト６もコンターシート３に対して起倒可能である。よって、歯科治療椅子１は、患者を図１（Ａ）に示す起状態の姿勢から、バックレスト４やレッグレスト６をコンターシート３と同様に水平に配置した寝状態の姿勢に変更することができる。
【００１４】
図１（Ａ）に示すように、コンターシート３の内部には、歯科治療椅子１の前後方向および左右方向に例えば２個ずつの計４個の袋体（エアーバックともいう）３ａが設けられると共に、バックレスト４の内部にも前後方向および左右方向に例えば２個ずつの計４個の袋体４ａが設けられている。各袋体３ａ，４ａは上記スピットン内のコンプレッサに接続され、このコンプレッサで生成された圧縮空気が袋体３ａ，４ａの内部にそれぞれ供給される。なお、コンプレッサで生成された圧縮空気は、歯科用インスツルメントのエアータービンにも供給可能である。
【００１５】
図１（Ｂ）は例えばカバーを外した安頭台の正面図であり、この安頭台５の表面には、複数個の体圧測定センサ７が例えば網目状に配置されている。体圧測定センサ７は、患者の頭部による圧力を測定するために、安頭台５の表面に生じた押圧力を例えば電気抵抗や電気容量などの電気信号に変換可能に構成されている。なお、体圧測定センサ７が本発明の圧力センサに相当する。
【００１６】
図２は、図１の歯科治療椅子に適用可能な回路ブロック図である。体圧測定センサ７で得られた信号は圧力制御部９に出力され、平均値や最大値などの適切な演算処理が施された後、体圧測定センサ７の測定結果として利用される。この体圧測定センサ７の測定結果は記憶部１０に格納される。
また、例えば上記ワークテーブルに設置された操作パネル８からの信号も圧力制御部９に出力されている。例えば操作パネル８で自動調整モードが選択された場合、圧力制御部９は袋体３ａ，４ａの内部圧力を自動的に制御する。このように、自動調整モードを設ければ、仮に通常は安頭台を位置調整しない医院であっても、患者の姿勢を容易に変更可能になる。
【００１７】
圧力制御部９は、体圧測定センサ７の測定結果に基づいて給気バルブ１１や排気バルブ１２を開閉させる。
給気バルブ１１は、例えば上記コンプレッサと袋体３ａ，４ａとを接続する配管（図示省略）に設置される。給気バルブ１１が開弁すると、コンプレッサで生成された圧縮空気が袋体３ａや袋体４ａの内部にそれぞれ供給されるので、袋体３ａや袋体４ａが膨張する。
【００１８】
一方、排気バルブ１２は、例えば袋体３ａ，４ａと外部とを接続する配管（図示省略）に設置され、排気バルブ１２が開弁すると、袋体３ａや袋体４ａ内の圧縮空気が外部に放出されるので、袋体３ａや袋体４ａが収縮する。
袋体３ａや袋体４ａの内部圧力は、圧力センサ１３で検出されて圧力制御部９に出力される。圧力センサ１３の測定結果も記憶部１０に格納される。
【００１９】
そして、圧力制御部９は、安頭台５の体圧測定センサ７の測定結果および袋体３ａや袋体４ａの圧力センサ１３の測定結果に基づいて給気バルブ１１や排気バルブ１２の開度を調整し、計４個の袋体３ａや計４個の袋体４ａに上記コンプレッサで生成された圧縮空気を供給し、安頭台５に対する患者の頭部の位置を変更している。
【００２０】
図３や図４は、図１の歯科治療椅子の使用例を説明するための図である。
まず、患者が図３（Ａ）で見て歯科治療椅子１の奥に片寄って座ったため、患者の頭部も安頭台５の同じく奥に片寄って配置された場合を想定する。この場合、体圧測定センサ７の測定結果による圧力分布をイメージとして可視化すると、図３（Ｂ）のように、患者から見て安頭台５の左寄りの位置に高圧領域（図中に濃い色で表示する）Ｈがあり、この高圧領域Ｈを中心に中圧領域Ｍ、中低圧領域Ｌ１、低圧領域Ｌ２までが広範囲に亘って形成されている。
【００２１】
よって、この場合には、圧力制御部９が例えば患者から見てコンターシート３の左前側および左後側の袋体３ａ並びにバックレスト４の左前側および左後側の袋体４ａの内部に圧縮空気を供給すると、患者の左半身が持ち上がり、患者の身体が歯科治療椅子１の中央位置に向けて傾くので、患者の頭部も安頭台５の中央位置に配置可能になる。
【００２２】
次に、患者の頭部の一部分が安頭台５に部分的に接触している場合を想定する。この場合の圧力分布を可視化すると、例えば図４（Ａ）のように、患者から見て安頭台５の右下寄りの位置に狭い範囲の中圧領域（図中にやや濃い色で表示する）Ｍがあり、この中圧領域Ｍの周囲に中低圧領域Ｌ１が形成されている。
よって、この場合には、圧力制御部９が例えば患者から見てバックレスト４の右後側の袋体４ａの内部に圧縮空気を供給すると、患者の右肩部が持ち上がり、患者の右後頭部が安頭台５に浅めに配置されるので、安頭台５の高圧部分を緩和可能になる。
【００２３】
続いて、患者の首部が安頭台５に接触している場合を想定する。この場合の圧力分布を可視化すると、図４（Ｂ）のように、安頭台５の中央下寄りの位置に高圧領域（図中に濃い色で表示する）Ｈがあり、この高圧領域Ｈの周囲に中圧領域Ｍや中低圧領域Ｌ１が形成されている。
よって、この場合にも、圧力制御部９が例えば患者から見てバックレスト４の左後側および右後側の袋体４ａの内部に圧縮空気を供給すると、患者の両肩部が持ち上がり、患者の首部が安頭台５に浅めに配置されるので、患者の首部への負担を軽減可能になる。
【００２４】
このように、患者の頭部による圧力が安頭台５の複数個の体圧測定センサ７で測定され、圧力制御部９が体圧測定センサ７の測定結果に基づいてコンターシート３の袋体３ａやバックレスト４の袋体４ａの内部圧力を制御し、患者の背部や患者のでん部の位置を変更するので、患者の頭部の位置を効果的に変更できる。その結果、術者や患者への負担軽減を図ることができる。
また、体圧測定センサ７を安頭台５に複数敷設すれば、患者の頭部の圧力を高精度に測定できる。
【００２５】
図５は、第２実施形態の歯科治療椅子の斜視図である。
この歯科治療椅子１は、コンターシート３、バックレスト４に複数個の袋体を設置しており、また、レッグレスト６にも複数個の袋体を設置している。詳しくは、コンターシート３の内部には、歯科治療椅子１の前後方向および左右方向に例えば５個ずつの計２５個の袋体（エアーバックともいう）３ａが、バックレスト４の内部にも前後方向および左右方向に例えば５個ずつの計２５個の袋体４ａが、そして、レッグレスト６の内部にも前後および左右の各方向に例えば５個ずつの計２５個の袋体６ａがそれぞれ設けられている。
【００２６】
圧力制御部９は、安頭台５の体圧測定センサ７の測定結果などに基づいて、計２５個の袋体３ａの一部、計２５個の袋体４ａの一部、計２５個の袋体６ａの一部にも上記コンプレッサで生成された圧縮空気を供給可能である。したがって、この第２実施形態のように、細分化された袋体３ａ，４ａ，６ａをコンターシート３、バックレスト４、レッグレスト６にそれぞれ敷設すれば、患者の姿勢をより一層細やかに調整できる。
【００２７】
具体的には、図３（Ｂ）に示したような、患者の頭部が安頭台５の左寄りに位置していた場合、図５に示したバックレスト４の計２５個の袋体４ａのうち、患者から見てバックレスト４の右後端の袋体（図５中に斜線で示す）を１行１列目の袋体４ａと称し、また、コンターシート３の計２５個の袋体３ａのうち、患者から見てコンターシート３の右後端の袋体（図５中に斜線で示す）を１行１列目の袋体３ａと称すると、圧力制御部９は、バックレスト４の例えば４列目と５列目に位置する計１０個の袋体４ａの内部に圧縮空気を供給すると共に、コンターシート３の例えば４列目と５列目に位置する計１０個の袋体３ａの内部に圧縮空気を供給する。これにより、患者の左半身が持ち上がり、患者の身体が歯科治療椅子１の中央位置に向けて速やかに傾くので、患者の頭部を安頭台５の中央位置に容易に配置できる。
【００２８】
なお、寝状態の姿勢において患者の左半身を持ち上げたい場合、レッグレスト６の計２５個の袋体６ａのうち、患者から見てレッグレスト６の右後端の袋体（起状態の姿勢の図５中に斜線で示す）を１行１列目の袋体６ａと称すると、圧力制御部９は、上記の各袋体３ａ，４ａの内部に圧縮空気を供給すると共に、レッグレスト６の例えば４列目と５列目に位置する計１０個の袋体６ａの内部にも圧縮空気を供給してもよい。
【００２９】
次に、図４（Ａ）に示したような、患者の頭部の一部分が安頭台５に部分的に接触していた場合、圧力制御部９は、バックレスト４の計２５個の袋体４ａのうち、例えば１行１列目から１行３列目までに位置する計３個の袋体４ａの内部に圧縮空気を供給する。これにより、患者の右肩部が持ち上がり、患者の右後頭部が安頭台５に浅めに配置されるので、安頭台５の高圧部分を容易に緩和できる。
【００３０】
続いて、図４（Ｂ）に示したような、患者の首部が安頭台５に接触していた場合、圧力制御部９は、バックレスト４の計２５個の袋体４ａのうち、例えば１行目に位置する計５個の袋体４ａの内部に圧縮空気を供給する。これにより、患者の両肩部が持ち上がり、患者の首部が安頭台５に浅めに配置されるため、患者の首部への負担を容易に減らすことができる。
【００３１】
なお、上記第１実施形態では、コンターシート３およびバックレスト４の双方に袋体３ａ，４ａを設置し、また、第２実施形態では、さらにレッグレスト６にも袋体６ａを設置した例を挙げてそれぞれ説明したが、袋体をコンターシート３あるいはバックレスト４の一方にだけ設置してもよい。また、上記各実施形態では、コンターシートやバックレストには複数個の袋体をそれぞれ敷設した例で説明したが、コンターシートあるいはバックレスト内に１個の袋体を敷設することも可能である。
【符号の説明】
【００３２】
１，２０…歯科治療椅子、２…基台、３…コンターシート、３ａ…袋体、４…バックレスト、４ａ…袋体、５…安頭台、６…レッグレスト、６ａ…袋体、７…体圧測定センサ、８…操作パネル、９…圧力制御部、１０…記憶部、１１…給気バルブ、１２…排気バルブ、１３…圧力センサ。
【図１】
2015226664.tif 000003
【図２】
2015226664.tif 000004
【図３】
2015226664.tif 000005
【図４】
2015226664.tif 000006
【図５】
2015226664.tif 000007